(57)【要約】【課題】  表示制御部に本体側とは別の制御手段を設けることで、本体起動準備中に表示制御部起動を完了させ、自発的に表示制御部が起動画面の表示をさせることで、ユーザに対して起動準備を早く知らせる必要がある場合に限り、その表示を行うことができる立ち上げ制御システムを提供することを目的とする。【解決手段】  操作部制御基板１００上には、本体制御基板２００上のＣＰＵ２０１とは独立した専用ＣＰＵ１０１が搭載されており、操作部制御と本体制御は同期シリアルなどの通信手段Ａにより接続され、描画コマンドやキー入力情報等の双方向データ通信が可能な構成なっている。【選択図】  図１
2006003659.tif 000002
【特許請求の範囲】
【請求項１】
表示部と電子装置本体が独立した構成であり、装置本体を制御する本体制御手段とは別に前記表示部を制御する表示部制御手段を備えた前記電子装置あって、
電子装置本体の起動時又は節電時に、前記本体制御手段による装置本体の実行制御の前に、前記表示部制御手段が前記表示部へ起動を示す起動画面を表示させることを特徴とする立ち上げ制御システム。
【請求項２】
前記表示部と装置本体は、通信手段によって接続され、双方向のデータ通信を可能とすることを特徴とする請求項１記載の立ち上げ制御システム。
【請求項３】
前記表示部は、起動時又は節電時に発動させる一定の時間を計測する計測手段を備え、前記通信手段によって一定の時間内に装置本体からの応答があるか否かを判断することを特徴とする請求項１または２記載の立ち上げ制御システム。
【請求項４】
前記表示部は、一定の時間内に装置本体からの応答がない場合は、前記表示部制御手段によって前記表示部へ起動を示す起動画面を表示させることを特徴とする請求項３記載の立ち上げ制御システム。
【請求項５】
前記本体制御部は、節電状態時に前記表示部の制御が必要ない場合には、該本体制御部から前記通信手段を介して、前記表示制御をしないことを特徴とする請求項１記載の立ち上げ制御システム。
【発明の詳細な説明】
【技術分野】
【０００１】
本発明は、電源投入後に立ち上げ制御を行う立ち上げ制御システムに関し、特に、立ち上げ制御を短時間に行う立ち上げ制御システムに関する。
【背景技術】
【０００２】
従来、各種機能を備えた電子装置は、電源投入後には直ちに装置機能を実現する各ユニットを駆動可能にするために、予め設定されている各種設定に従って装置内の各ユニットの立ち上げ制御を開始するようになっており、複数のＣＰＵを設けてユニット毎の制御を分散している場合には、そのＣＰＵ毎に立ち上げ制御を行っている。
【０００３】
また、本発明より以前に開示された特許文献１では、電源投入後に不揮発メモリを備えた制御手段から別の制御手段に記憶データを転送してメモリ内に保持した後装置の立上制御を行う場合に、短時間の準備動作完了を可能にして、無駄な待ち時間のない使用開始を実現している。
【０００４】
特許文献２では、圧縮プログラムと、圧縮プログラムを伸張して揮発性の記憶媒体に展開する伸張ルーチン及び投入されたジョブを入力処理するジョブ入力ルーチンを含むブートプログラムとを不揮発性の記憶媒体に格納し、電源投入時にブートプログラムを実行することによりコンピュータ機能を起動させることで、高速化を図りつつジョブを早期に入力処理している。
【特許文献１】特開２００２−１０８５１２号公報
【特許文献２】特開２００２−２９７３９１号公報
【発明の開示】
【発明が解決しようとする課題】
【０００５】
従来の本体制御ＣＰＵでの立ち上げ時に、制御プログラムの展開をＲＡＭに対して行い、そこからソフトウェアの起動が始まるが、起動までの展開時間の高速化を行っても、時間短縮に限界がある。そのため、電源投入後から表示制御部の起動画面描画指示ができるまで時間を要し、起動画面表示の応答がＲＯＭ実行型よりも遅くなっている。
【０００６】
また、特許文献１、２に開示されている技術を用いても、例えば、表示部を備えた電子装置では、多種多様な機能を備えた表示部の制御を装置本体で行うことは、装置本体に多大な負荷をかけることになってしまう。
【０００７】
本発明は係る問題に鑑みてなされたものであり、表示制御部に本体側とは別の制御手段を設けることで、本体起動準備中に表示制御部起動を完了させ、自発的に表示制御部が起動画面の表示させることで、ユーザに対して起動準備を早く知らせる必要がある場合に限り、その表示を行うことができる立ち上げ制御システムを提供することを目的とする。
【課題を解決するための手段】
【０００８】
上記目的を達成するために、請求項１記載の立ち上げ制御システムは、表示部と電子装置本体が独立した構成であり、装置本体を制御する本体制御手段とは別に表示部を制御する表示部制御手段を備えた電子装置あって、電子装置本体の起動時又は節電時に、本体制御手段による装置本体の実行制御の前に、表示部制御手段が表示部へ起動を示す起動画面を表示させることを特徴とする。
【０００９】
請求項２記載の発明は、請求項１記載の立ち上げ制御システムであって、表示部と装置本体は、通信手段によって接続され、双方向のデータ通信を可能とすることを特徴とする。
【００１０】
請求項３記載の発明は、請求項１または２記載の立ち上げ制御システムであって、表示部は、起動時又は節電時に発動させる一定の時間を計測する計測手段を備え、通信手段によって一定の時間内に装置本体からの応答があるか否かを判断することを特徴とする。
【００１１】
請求項４記載の発明は、請求項３記載の立ち上げ制御システムであって表示部は、一定の時間内に装置本体からの応答がない場合は、表示部制御手段によって表示部へ起動を示す起動画面を表示させることを特徴とする。
【００１２】
請求項５記載の発明は、請求項１記載の立ち上げ制御システムであって、本体制御部は、節電状態時に表示部の制御が必要ない場合には、該本体制御部から通信手段を介して、表示制御をしないことを特徴とする。
【発明の効果】
【００１３】
以上の説明から、本発明の立ち上げ制御システムは、表示制御部に本体側とは別の制御手段を設けることで、本体起動準備中に表示制御部の起動を完了させ、自発的に表示制御部が起動画面の表示をさせることで、ユーザに対して起動準備を早く知らせる必要がある場合に限り、その表示を行うことができる。
【発明を実施するための最良の形態】
【００１４】
次に添付図面を参照して、本発明の実施形態を説明する。
操作部制御基板１００上には、本体制御基板２００上のＣＰＵ２０１とは独立した専用ＣＰＵ１０１が搭載されており、操作部制御と本体制御は同期シリアル等の通信手段Ａにより接続され、描画コマンドやキー入力情報等の双方向データ通信が可能な構成となっている。
【００１５】
操作部ＣＰＵ１０１には、制御プログラムや画面データが格納されているフラッシュＲＯＭ１０２、ワーク領域として使用されるＳＲＡＭ１０３、ＬＣＤモジュール１０６上に重ねて配置されるタッチパネル１０７、キー基板のドライバ１０９等が接続されている。
【００１６】
また、ＬＣＤコントローラ１０４を介して、ＬＣＤモジュール１０７への表示画素データが格納されるビデオＲＡＭ、略してＶＲＡＭと呼ばれるＳＤＲＡＭ１０３へのリード／ライトも可能である他、ドライバ１０９の先にあるキー基板上のキースイッチやＬＥＤ１０８、ＬＣＤモジュール１０７のバックライト制御も可能となっている。
【００１７】
ＬＣＤコントローラ１０４は、ＳＤＲＡＭ１０３のリフレッシュ処理やＳＤＲＡＭ１０３からＬＣＤモジュール１０７への表示データ転送（表示信号出力）を行うが、内部レジスタへの設定により、信号の出力Ｂは抑制可能となっている。また、各制御基板上には、ＩＣカード等の外部記憶媒体の接続手段が付加されており、外部記憶媒体からのデータ読み込みが可能な構成となっている。
【００１８】
本実施形態では、接続手段としてカードスロットを挙げたが、外部記憶媒体からプログラムやデータが読み出せる構成であれば、この限りではない。カードスロットへのＩＣカード装着／未装着は入力ポートにて確認可能である。
【００１９】
本制御基板２００には、ＣＰＵ２０１の他、フラッシュＲＯＭ２０２、ＳＲＡＭ２０３、ハードディスク２０６、ＮＶＲＡＭ２０４を備えている。ここでは、操作部基板１００が本体制御基板２００と別にＣＰＵ２０１を有する例で説明するが、操作部基板１００上にＣＰＵを持たず、本体制御基板のＣＰＵ２０１にて操作部制御を行う構成も可能である。
【００２０】
次に、図２を参照して、操作部ユニットの説明をする。
操作部ユニット３００には、プリント枚数や倍率を入力するためのテンキー３０１、プリント動作の開始を指示するためのスタートキー３０２、プリント動作の中断やテンキー入力結果のクリアを指示するためのクリア／ストップキー３０４、設定されているプリントモードをデフォルト状態に戻すためのリセットキー３０７、予熱状態の移行／解除を指示するための予熱キー３０６、実行中のプリント動作に割り込んで別のプリント動作をさせるための割込モード移行／解除キー３０５、管理者や使用者の使い勝手に合わせた装置の設定を行うための初期設定モード移行／解除キー３０８、ＬＣＤ表示部３１４に表示される言語を別の言語に切り替える言語切替キー３０９、コピー、ＦＡＸ、プリンタ、スキャナ等のアプリケーションを選択するためのアプリ切替キー３１０〜３１３等のハードキーを備え、いくつかのハードキー上には、そのキーの選択状態を示すためのＬＥＤ３１５が付加されている。特に、スタートキー３０２上には、装置がプリント動作可能である場合は緑のＬＥＤが、動作不可である場合は赤のＬＥＤが点灯されるよう、赤・緑両方のＬＥＤ３０３が付加されている。また、装置の状態や設定情報を表示させるためのＬＣＤ表示部３１４がある。
【００２１】
次に、図３〜５を参照して、本発明の実施形態における処理動作を説明する。
図３は、本体制御部の電源投入、及び節電復帰後から表示制御部に起動画面描画指示を出すまでの処理動作を示したフローチャートである。
まず、本体電源投入および節電復帰すると（ステップＳ１００）、次に、ＲＯＭから圧縮プログラムをＲＡＭへ実行形式に伸張する（ステップＳ１０１）。次に、伸張が終了し、実行可能かを判断する（ステップＳ１０２）。
【００２２】
伸張が終了していない場合は（ステップＳ１０２／ＮＯ）、ステップＳ１０１へ戻る。伸張が終了した場合は（ステップＳ１０２／ＹＥＳ）、ＲＡＭ上でプログラムが実行される（ステップＳ１０３）。次に、本体制御部２００のソフトの初期化を行い（ステップＳ１０４）、操作パネルに初期起動画面の描画指示コマンドを発行する（ステップＳ１０５）。
【００２３】
図４は、操作パネルの起動から初期起動画面表示までの処理動作を示したフローチャートである。
まず、電源投入時及び節電復帰後に即時、不揮発性メモリから操作部ソフトが起動する（ステップＳ２００）。次に、ハードウェアおよびＯＳ、ソフト本体の初期化処理を実行し（ステップＳ２０１）、本体側へ通信開始要求コマンドを発行する（ステップＳ２０２）。ここでは、表示可能状態に移行した後、本体制御部２００へ同期シリアル通信を使用するために通信開始コマンドを発行する。
【００２４】
次に、コマンド応答用タイマをスタートさせ（ステップＳ２０３）、規定時間内に本体側から応答があったかを判断する（ステップＳ２０４）。応答があった場合には（ステップＳ２０４／ＹＥＳ）、本体側の描画指示で初期起動画面（図６を参照）を表示し（ステップＳ２０５）、終了となる。
【００２５】
規定時間内に本体側から応答がない場合は（ステップＳ２０４／ＮＯ）、操作パネルで初期起動画面を表示させる（ステップＳ２０６）。このとき、ステップＳ２０３のコマンド応答用タイマはタイムアウトまたはタイム計測キャンセルにより停止している。次に、表示中に本体側から応答があったかを判断する（ステップＳ２０７）。本体側から応答があった場合（ステップＳ２０７／ＹＥＳ）、本体側の描画指示で初期起動画面を表示し（ステップＳ２０５）、終了となる。本体側から応答が無い場合は（ステップＳ２０７／ＮＯ）、ステップＳ２０６に戻り、操作パネルで初期起動画面を表示する。
【００２６】
次に、図５は夜間休止時の処理動作を示したフローチャートである。
外部からの印刷要求に対して（ステップＳ３００）、本体制御部２００はプログラムを起動し（ステップＳ３０１）、次に、夜間休止中かどうかを判断する（ステップＳ３０２）。夜間休止の場合は（ステップＳ３０２／ＹＥＳ）、本体制御のみで表示制御は行われず、終了となる。夜間休止中ではない場合は（ステップＳ３０２／ＮＯ）、通常と同じ表示制御部への動作指示がされ（ステップＳ３０３）、操作パネルによって初期起動画面表示を行い（ステップＳ３０４）、終了する。
【図面の簡単な説明】
【００２７】
【図１】制御部の構成を示した図である。
【図２】操作部ユニットの構成を示した図である。
【図３】立ち上げ制御システムの処理動作を示したフローチャートである。
【図４】立ち上げ制御システムの処理動作を示したフローチャートである。
【図５】立ち上げ制御システムの処理動作を示したフローチャートである。
【図６】起動画面の表示例である。
【符号の説明】
【００２８】
１００    操作部制御基板
１０１、２０１    ＣＰＵ
１０２    フラッシュＲＯＭ
１０３    ＳＲＡＭ
１０４    ＬＣＤコントローラ
１０５    ＳＤＲＡＭ
１０６    ＬＣＤモジュール
１０７    タッチパネル
１０８    キー基板（ＳＷ，ＬＥＤ）
１０９    ドライバ
２００    本体制御基板
２０１    ＮＶＲＡＭ
２０２    フラッシュＲＯＭ
２０３    ＳＲＡＭ
２０４    ＮＶＲＡＭ
２０５    カードスロット
２０６    ハードディスク
【図１】
2006003659.tif 000003
【図２】
2006003659.tif 000004
【図３】
2006003659.tif 000005
【図４】
2006003659.tif 000006
【図５】
2006003659.tif 000007
【図６】
2006003659.tif 000008